(57)【要約】      （修正有）【課題】単巻ものの書籍であっても、書籍を書店などの販売用の書棚に背表紙陳列したときにＰＯＰ表示することが可能であって、立ち読みなどによって書籍が書棚から抜き取られた場合であっても、ＰＯＰが書籍から分離・分断されることのない書籍販促用表示具を提供する。【解決手段】薄板状の基材の一端側に形成されていて基材を横断する方向に伸び、基材を本体側部分と一端側に位置する一端側部分とに区画する第一の折線に沿って一端側部分が本体側部分の表面側に向けて折り曲げられている。一端側部分は、一端側部分の側縁にあたる一端側部分側縁から基材を横断する方向で伸びていて、一端側部分側縁及びこれに対応する本体側部分の側縁にあたる本体側部分側縁よりも延出している広告表示部を備えている。【選択図】図３
0003177771.tif 000002
【実用新案登録請求の範囲】
【請求項１】
薄板状の基材の一端側に形成されていて前記基材を横断する方向に伸び、前記基材を本体側部分と前記一端側に位置する一端側部分とに区画する第一の折線に沿って前記一端側部分が前記本体側部分の表面側に向けて折り曲げられていると共に、
前記一端側部分は、前記一端側部分の側縁にあたる一端側部分側縁から前記基材を横断する方向で伸びていて、前記一端側部分側縁及びこれに対応する前記本体側部分の側縁にあたる本体側部分側縁よりも延出している広告表示部を備えている
ことを特徴とする書籍販促用表示具。
【請求項２】
前記一端側部分が書籍の表紙の表側に位置するように前記書籍の表紙を、前記折り曲げられた基材の前記本体側部分と前記一端側部分とで、前記書籍の上辺側から挟んだときに、前記広告表示部が前記書籍の背表紙から突出する方向に延出する
ことを特徴とする請求項１記載の書籍販促用表示具。
【請求項３】
前記広告表示部には前記書籍の紹介・宣伝・広告が表されている
ことを特徴とする請求項２記載の書籍販促用表示具。
【請求項４】
前記一端側部分の表面側における前記広告表示部の領域を除いた領域に前記書籍の紹介・宣伝・広告が表されている
ことを特徴とする請求項３記載の書籍販促用表示具。
【請求項５】
薄板状の基材の一端側に形成されていて前記基材を横断する方向に伸び、前記基材を本体側部分と前記一端側に位置する一端側部分とに区画する第一の折線に沿って前記一端側部分が前記本体側部分の裏面側に向けて折り曲げられていると共に、
前記本体側部分は、前本体側部分の側縁にあたる本体側部分側縁から前記基材を横断する方向で伸びていて、前記本体側部分側縁及びこれに対応する前記一端側部分の側縁にあたる一端側部分側縁よりも延出している広告表示部を備えている
ことを特徴とする書籍販促用表示具。
【請求項６】
前記薄板状の基材の前記一端側に対向する他端側にも前記基材を横断する方向に伸びて、前記基材を前記本体側部分と前記他端側に位置する他端側部分とに区画する前記第一の折線が形成されており、当該他端側に形成されている前記第一の折線に沿って前記他端側部分が前記本体側部分の裏面側に向けて折り曲げられている
ことを特徴とする請求項５記載の書籍販促用表示具。
【請求項７】
前記本体側部分が書籍の表紙の表側に位置するように前記書籍の表紙を、前記折り曲げられた基材の前記本体側部分と前記一端側部分とで、又は、前記折り曲げられた基材の前記本体側部分と前記一端側部分及び前記他端側部分とで、前記書籍の上辺側から、又は、前記書籍の上辺側及び下辺側から挟んだときに、前記広告表示部が前記書籍の背表紙から突出する方向に延出する
ことを特徴とする請求項５又は６記載の書籍販促用表示具。
【請求項８】
前記広告表示部には前記書籍の紹介・宣伝・広告が表されている
ことを特徴とする請求項７記載の書籍販促用表示具。
【請求項９】
前記本体側部分の表面側における前記広告表示部の領域を除いた領域に前記書籍の紹介・宣伝・広告が表されている
ことを特徴とする請求項８記載の書籍販促用表示具。
【請求項１０】
前記広告表示部は、シート状の広告部材を挿脱自在な広告部材収納部が、前記広告表示部を形成している透明な前記薄板状の基材によって形成されているものである
ことを特徴とする請求項１乃至９のいずれか一項記載の書籍販促用表示具。
【考案の詳細な説明】
【技術分野】
【０００１】
この考案は、書籍の販促用の表示具であって、簡易な構成で書籍の販促をすることができる書籍販促用表示具に関し、特に、書店などにおける陳列棚に棚差し陳列される書籍のＰＯＰ広告として利用することに適した書籍販促用表示具に関する。
【背景技術】
【０００２】
書籍などの商品を販売する際に、販促用の表示具を商品に付随させて購買者に当該商品の購入を促進することは従来から行われており、そのような販促用の表示具も種々知られている。
【０００３】
例えば特許文献１には、書籍を載置陳列する場合において、書籍の特徴等を背表紙面よりさせて表示する突出型表示具について記載されている。
【０００４】
また、本願出願人は、商品展示用平台上で陳列される本などの商品のＰＯＰ広告として利用することに適した販促用表示具について提案している（特許文献２）。
【先行技術文献】
【特許文献】
【０００５】
【特許文献１】特開２００７−１４０１５３号公報
【特許文献２】実用新案登録第３１７５０４３号公報
【考案の概要】
【考案が解決しようとする課題】
【０００６】
文庫、新書等の書籍を販売する際、その陳列方法は、平積み陳列、棚差し陳列などが知られており、その陳列方法に対応した販促用表示具、又はシリーズものや当該書籍のコーナー用の販促用表示具も種々使用されている。
【０００７】
従来から、棚差し陳列で書籍を陳列する場合、本と本の間にプレート状の見出し等を差し込んで、当該書籍のＰＯＰ広告をすることなどが行われている。
【０００８】
しかし、このようなＰＯＰ広告の場合、購買者が単巻ものの書籍を手に取る際に、前記プレート状の見出し等が当該書籍と分離・分断されてしまうので、十分な販促効果が得られないことが多い。
【０００９】
前記のような現象を回避するため、剥離性のシートを書籍に直接貼り付けてＰＯＰ広告する方法も考えられるが、販促用表示具を書籍に直接貼ることは好まれず、またそのような販促用表示具の価格も高価になる。従って、棚差し陳列で陳列された書籍のＰＯＰ広告を効果的に行うことは困難であった。
【００１０】
そこで、本考案は、書店などの販売用の書棚で書籍を背表紙陳列する場合であってもＰＯＰの表示を行うことを可能にし、特に、単巻ものの書籍であっても、当該書籍を背表紙陳列したときにＰＯＰ表示することが可能であって、立ち読みなどによって当該書籍が書棚から抜き取られた場合であっても、当該書籍に付帯されていた前記ＰＯＰが当該書籍から分離・分断されることのない、書籍販促用表示具を提供することを目的としている。
【課題を解決するための手段】
【００１１】
上記課題を解決するため、以下の考案を提案する。
【００１２】
請求項１記載の考案は、
薄板状の基材の一端側に形成されていて前記基材を横断する方向に伸び、前記基材を本体側部分と前記一端側に位置する一端側部分とに区画する第一の折線に沿って前記一端側部分が前記本体側部分の表面側に向けて折り曲げられていると共に、
前記一端側部分は、前記一端側部分の側縁にあたる一端側部分側縁から前記基材を横断する方向で伸びていて、前記一端側部分側縁及びこれに対応する前記本体側部分の側縁にあたる本体側部分側縁よりも延出している広告表示部を備えている
ことを特徴とする書籍販促用表示具
である。
【００１３】
請求項２記載の考案は、
前記一端側部分が書籍の表紙の表側に位置するように前記書籍の表紙を、前記折り曲げられた基材の前記本体側部分と前記一端側部分とで、前記書籍の上辺側から挟んだときに、前記広告表示部が前記書籍の背表紙から突出する方向に延出する
ことを特徴とする請求項１記載の書籍販促用表示具
である。
【００１４】
請求項３記載の考案は、
前記広告表示部には前記書籍の紹介・宣伝・広告が表されている
ことを特徴とする請求項２記載の書籍販促用表示具
である。
【００１５】
請求項４記載の考案は、
前記一端側部分の表面側における前記広告表示部の領域を除いた領域に前記書籍の紹介・宣伝・広告が表されている
ことを特徴とする請求項３記載の書籍販促用表示具
である。
【００１６】
請求項５記載の考案は、
薄板状の基材の一端側に形成されていて前記基材を横断する方向に伸び、前記基材を本体側部分と前記一端側に位置する一端側部分とに区画する第一の折線に沿って前記一端側部分が前記本体側部分の裏面側に向けて折り曲げられていると共に、
前記本体側部分は、前本体側部分の側縁にあたる本体側部分側縁から前記基材を横断する方向で伸びていて、前記本体側部分側縁及びこれに対応する前記一端側部分の側縁にあたる一端側部分側縁よりも延出している広告表示部を備えている
ことを特徴とする書籍販促用表示具
である。
【００１７】
請求項６記載の考案は、
前記薄板状の基材の前記一端側に対向する他端側にも前記基材を横断する方向に伸びて、前記基材を前記本体側部分と前記他端側に位置する他端側部分とに区画する前記第一の折線が形成されており、当該他端側に形成されている前記第一の折線に沿って前記他端側部分が前記本体側部分の裏面側に向けて折り曲げられている
ことを特徴とする請求項５記載の書籍販促用表示具
である。
【００１８】
請求項７記載の考案は、
前記本体側部分が書籍の表紙の表側に位置するように前記書籍の表紙を、前記折り曲げられた基材の前記本体側部分と前記一端側部分とで、又は、前記折り曲げられた基材の前記本体側部分と前記一端側部分及び前記他端側部分とで、前記書籍の上辺側から、又は、前記書籍の上辺側及び下辺側から挟んだときに、前記広告表示部が前記書籍の背表紙から突出する方向に延出する
ことを特徴とする請求項５又は６記載の書籍販促用表示具
である。
【００１９】
請求項８記載の考案は、
前記広告表示部には前記書籍の紹介・宣伝・広告が表されている
ことを特徴とする請求項７記載の書籍販促用表示具
である。
【００２０】
請求項９記載の考案は、
前記本体側部分の表面側における前記広告表示部の領域を除いた領域に前記書籍の紹介・宣伝・広告が表されている
ことを特徴とする請求項８記載の書籍販促用表示具
である。
【００２１】
請求項１０記載の考案は、
前記広告表示部は、シート状の広告部材を挿脱自在な広告部材収納部が、前記広告表示部を形成している透明な前記薄板状の基材によって形成されているものである
ことを特徴とする請求項１乃至９のいずれか一項記載の書籍販促用表示具
である。
【考案の効果】
【００２２】
この考案によれば、書店などの販売用の書棚で書籍を背表紙陳列す場合であってもＰＯＰの表示を行うことが可能な書籍販促用表示具を提供することができる。また、単巻ものの書籍であっても、当該書籍を書店などの販売用の書棚に背表紙陳列したときにＰＯＰ表示することが可能であって、立ち読みなどによって当該書籍が書棚から抜き取られた場合であっても、当該書籍に付帯されていた前記ＰＯＰが当該書籍から分離・分断されることのない、書籍販促用表示具を提供することができる。
【図面の簡単な説明】
【００２３】
【図１】本考案の第１の実施形態を表す図であって、（ａ）書籍販促用表示具の平面図、（ｂ）広告表示部を第二の折線に沿って折り曲げる状態を表す図、（ｃ）広告表示部を折り曲げた状態の平面図、（ｄ）薄板状の基材の両端を第一の折線に沿って折り曲げる状態を表す図、（ｅ）広告表示部及び薄板状の基材の両端を折り曲げた状態の平面図、（ｆ）書籍に書籍販促用表示具を取り付ける状態を表す図、（ｇ）書籍の表紙を書籍販促用表示具で挟む状態を表す図、（ｈ）書籍の表紙に書籍販促用表示具を取り付けた状態を表す図、（ｉ）図（ｈ）の状態から書籍販促用表示具を書籍の背表紙側へスライドさせる状態を表す図、（ｊ）書籍販促用表示具を書籍の背表紙側へスライドさせた状態を表す図、（ｋ）書籍販促用表示具を使用して書籍を棚差し陳列した状態を表す図。
【図２】本考案の書籍販売用表示具の広告表示部の類型を表す図であって、（ａ）、（ｂ）、（ｃ）、（ｄ）、（ｅ）、（ｆ）、（ｇ）はそれぞれ第１の形態から第７の形態の広告表示部を表す図。
【図３】本考案の第２の実施形態を表す図であって、（ａ）書籍販促用表示具の平面図、（ｂ）広告表示部及び薄板状の基材の一端を折り曲げた状態の平面図、（ｃ）広告表示片挿入部に広告表示片を挿入する状態を表す図、（ｄ）書籍の表紙に書籍販促用表示具を取り付けた状態を表す図。
【図４】本考案の第３の実施形態を表す図であって、（ａ）書籍販促用表示具の平面図、（ｂ）広告表示片挿入部に、広告表示片を挿入する状態を表す図、（ｃ）書籍の表紙に書籍販促用表示具を取り付けた状態を表す図。
【考案を実施するための形態】
【００２４】
以下、添付図面を参照して、本考案の実施形態を説明する。
【００２５】
図１は本考案の第１の実施形態を示すものである。薄板状の基材２の両端側に、当該両端側を折り曲げるための一対の第一の折線３、３を筋押しなどにより基材２を横断する方向に形成している。一対の第一の折線３、３で挟まれる基材２の中間部２ａ（本体側部分）の側縁から書籍を紹介・宣伝・広告する広告表示部４を前記横断方向で延出させ、書籍販促用表示具１ａを構成した（図１（ａ））。
【００２６】
基材２、広告表示部４は薄板状の部材からなり、上述したように、第一の折線３を介して折り曲げられるものであれば種々の材質の物を用いることができる。例えば、可撓性を有する紙材、あるいは、ポリプロピレン、ポリエチレンテレフタレートなどの可撓性を有する薄板状の合成樹脂製品を帯状に成形したものとすることができる。
【００２７】
広告表示部４には、印刷等の手法により書籍を紹介・宣伝・広告する情報が表示される。本実施形態では、広告表示部４に当該広告表示部４を折り曲げるための第二の折線５が、筋押しなどにより広告表示部４が延出する方向に直交する方向に形成されている（図１（ａ））。
【００２８】
そして、図１（ｂ）図示のように、第二の折線５に沿って広告表示部４を折り曲げて、広告表示部４の表面及び背面に書籍を紹介・宣伝・広告する情報を表示させる（図１（ｋ））。
【００２９】
なお、書籍を紹介・宣伝・広告する情報は、広告表示部４だけでなく、薄板状の基材２の中間部２ａ（本体側部分）の表紙に表示することもできる。
【００３０】
広告表示部４を第二の折線５に沿って折り曲げた状態（図１（ｃ））から、薄板状の基材２の両端部２ｂ、２ｂをそれぞれ第一の折線３、３に沿って背面側に折り曲げる（図１（ｄ））。
【００３１】
そして、図１（ｆ）、（ｇ）図示のように、書籍７の表紙７ｃを上辺７ａ側及び下辺７ｂ側から、薄板状の基材２の中間部２ａ及び端部２ｂ、２ｂとで挟み込むように端部２ｂ、２ｂを背面側に折り曲げると、書籍７の表紙７ｃに直接取り付けられた書籍販促用表示具１ａとなる（図１（ｈ））。
【００３２】
書籍販促用表示具１ａを書籍７の表紙７ｃに取り付けた状態から、当該書籍７を棚差し陳列する場合、広告表示部４を書籍７の背７ｄから突出するように書籍販売用表示具１ａを矢印８の方向へスライドさせる（図１（ｉ）、（ｊ））。
【００３３】
そして、図１（ｋ）図示のように、書籍販促用表示具１ａが表紙に取り付けられている書籍７を書店などの書棚に棚差し陳列することができる。
【００３４】
このように、書籍販促用表示具１ａは、棚差し陳列される書籍のＰＯＰ広告として利用する広告媒体ツールであり、書籍７の表紙７ｃを上辺７ａ側及び下辺７ｂ側から、薄板状の基材２の中間部２ａ及び端部２ｂ、２ｂとで挟み込み、書籍７と一体化したＰＯＰツールである。従って、棚差し陳列された書籍群から購買者が書籍を手に取っても、書籍販促用表示具１ａが書籍から分離、分断されることがなく、書籍の広告状態を維持することができる。
【００３５】
また、薄板状の基材２の端部２ｂ及び広告表示部４を折り曲げて、折畳む形態とすることで、図１（ｈ）図示のように、書籍７に取り付けた状態で流通させることや、図１（ｅ）図示のように、折畳んだ形態のまま単独で流通させることも可能である。
【００３６】
図２は本考案の書籍販売用表示具１ａの広告表示部４の類型を表す図である。上述したように、書籍販売用表示具１ａを構成する薄板状の基材２及び広告表示部４は折り線に沿って折り曲げ可能な材質からなるものであればよく、例えば、可撓性を有する紙材、あるいは、ポリプロピレン、ポリエチレンテレフタレートなどの合成樹脂製にすることができるので、寸法、形状等を適宜変更することができる。
【００３７】
例えば、図２（ｂ）図示のように、大型の判型の書籍７に対応する書籍販売用表示具１ａや、図２（ｃ）、（ｄ）、（ｅ）図示のように、広告表示部４の大きさ、延出位置を変更した書籍販売用表示具１ａとすることもできる。
【００３８】
また、図２（ｆ）、（ｇ）図示のように、広告表示部４の形状を半円形、立体形状とした書籍販売用表示具１ａとすることもできる。
【００３９】
このように、販売する書籍に応じて広告表示部４を様々な形式に変更することにより、当該書籍をより効果的に紹介・宣伝・広告することが可能となる。
【００４０】
次に、本考案の第二の実施形態を図３、図４を参照して説明する。
【００４１】
透明あるいは半透明の薄板状の基材２を用いた。この薄板状の基材２は、例えば、ポリエチレンテレフタレートを厚さ０．３ｍｍの帯状に成形したものとすることができる。
【００４２】
透明あるいは半透明の薄板状の基材２の一端側に、基材２の端部２ｂを折り曲げるための第一の折線３を筋押しなどにより基材２を横断する方向に形成し、当該基材２の端部２ｂの側縁から書籍を紹介・宣伝・広告する広告表示部４を前記横断する方向で延出させ、書籍販促用表示具１ｂ、1ｃを構成した（図３（ａ）、図４（ａ））。
【００４３】
なお、書籍販促用表示具1ｃは、透明あるいは半透明の薄板状の２及び後述する広告表示部４の寸法が書籍販促用表示具１ｂと異なるだけであり、構成、作用については共通しているので、同一の構成部材には同一の番号を付し、その説明を書籍販促用表示具１ｂと併せて説明する。
【００４４】
広告表示部４には、当該広告表示部４を折り曲げるための第二の折線５が、筋押しなどにより広告表示部４が延出する方向に直交する方向に形成されている（図３（ａ）、図４（ａ））。
【００４５】
そして、図３（ｂ）、（ｃ）、図４（ｂ）図示のように、第二の折線５に沿って広告表示部４を折り曲げて、書籍７を紹介・宣伝・広告する広告表示片９を挿脱する広告表示片挿入部６を形成した。
【００４６】
広告表示部４を第二の折線５に沿って折り曲げた状態から、基材２の端部２ｂを第一の折線３に沿って表面側に折り曲げる（図３（ｂ）、図４（ｂ））。
【００４７】
そして、図３（ｄ）、図４（ｃ）図示のように、書籍７の表紙を上辺７ａ側から、基材２及び端部２ｂとで挟み込むように端部２ｂを表面側に折り曲げると、書籍７の表紙7ｃに取り付けられた書籍販促用表示具１ｂ、１ｃとなる。
【００４８】
図３（ｄ）、図４（ｃ）図示の書籍販促用表示具１ｂ、１ｃは、書籍販促用表示具１ｂ、１ｃを書籍７の表紙７ｃに取り付けた状態から、広告表示部４を書籍７の背７ｄから突出するように書籍販売用表示具１ｂ、１ｃを書籍７の背７ｄの方向へスライドさせた状態となっている。
【００４９】
そして、図示していないが、書籍販促用表示具１ｂ、１ｃを書籍７の表紙に取り付けた状態で棚差し陳列することができる。
【００５０】
このように、書籍販促用表示具１ｂ、１ｃは、棚差し陳列される書籍のＰＯＰ広告として利用する広告媒体ツールであり、書籍７の表紙７ｃを上辺７ａ側から、薄板状の基材２及びその端部２ｂとで挟み込み、書籍７と一体化したＰＯＰツールである。従って、棚差し陳列された書籍群から購買者が書籍を手に取っても、書籍販促用表示具１ｂ、１ｃが書籍から分離・分断されることがなく、書籍の広告状態を維持することができる。
【００５１】
また、薄板状の基材２は、上述したように透明あるいは半透明のポリエチレンテレフタレートで形成し、広告表示片挿入部６にシート状の広告表示片９を挿入することにより、書籍７を強調して紹介・宣伝・広告することができる。
【００５２】
以上、添付図面を参照して本考案の好ましい実施形態を説明したが、本考案はかかる実施形態に限定されるものではなく、実用新案登録請求の範囲の記載から把握される技術的範囲において種々に変更可能である。
【符号の説明】
【００５３】
１ａ、１ｂ、１ｃ  書籍販促用表示具
２  薄板状の基材
２ａ  薄板状の中間部（本体側部分）
２ｂ  薄板状の端部（一端側部分、他端側部分）
３  第一の折線
４  広告表示部
５  第二の折線
６  広告表示片挿入部
７  書籍
７ａ  書籍の上辺
７ｂ  書籍の下辺
７ｃ  書籍の表紙
７ｄ  書籍の背
９  広告表示片
【図１】
0003177771.tif 000003
【図２】
0003177771.tif 000004
【図３】
0003177771.tif 000005
【図４】
0003177771.tif 000006